(57)【要約】【課題】  メモリカードを用いることなく、しかも公衆無線回線からなる移動体通信網を介した場合に比してよりも高速にサイズの大きなファイルの書き込みや読み出しが可能となる移動機、外部装置、移動機におけるファイル処理方法を提供する。【解決手段】  移動機２０は、近距離用の有線又は無線の非公衆通信により外部装置との間でデータを送受信するためのデータ送受信手段２１０と、ファイルを記憶するためのファイル記憶手段２１２と、ファイル記憶手段に保存するファイルを管理するファイル管理手段２１３と、外部装置１０から受信したコマンドデータに基づいて、外部装置１０から受信したファイルをファイル記憶手段２１２に書き込んだりファイル記憶手段２１２内のファイルを読み出して外部装置１０へ送信したりするファイル処理を行うように動作するファイル処理動作モードを実行可能な制御手段２１１とを備える。【選択図】  図１
2005033777.tif 000002
【特許請求の範囲】
【請求項１】
近距離用の有線又は無線の非公衆通信により外部装置との間でデータを送受信するためのデータ送受信手段と、
ファイルを記憶するためのファイル記憶手段と、
該ファイル記憶手段に保存するファイルを管理するファイル管理手段と、
該外部装置から受信したコマンドデータに基づいて、該外部装置から受信したファイルを該ファイル記憶手段に書き込んだり該ファイル記憶手段内のファイルを読み出して該外部装置へ送信したりするファイル処理を行うように動作するファイル処理動作モードを実行可能な制御手段とを備えたことを特徴とする移動体通信端末。
【請求項２】
請求項１の移動体通信端末において、
上記制御手段は、上記ファイル処理動作モードの実行を開始するときに、上記移動体通信端末の製造番号の読み出しを要求する製造番号読出要求を上記外部装置から受信し、該製造番号読出要求に応答する製造番号読出応答を該製造番号とともに該外部装置へ送信するように、上記データ送受信手段を制御することを特徴とする移動体通信端末。
【請求項３】
請求項１の移動体通信端末において、
上記制御手段は、上記ファイル処理動作モードの実行を開始するときに、上記移動体通信端末の通信能力の通知を要求する能力通知要求を上記外部装置から受信し、該能力通知要求に応答する能力通知応答を該通信能力の通知データとともに該外部装置へ送信するように、上記データ送受信手段を制御し、該通信能力の通知データに基づいて、該ファイル処理動作モードにおける該外部装置との間のデータ送受信時の通信条件を設定することを特徴とする移動体通信端末。
【請求項４】
請求項１の移動体通信端末において、
上記制御手段は、上記ファイル処理動作モードの実行を開始するときに、上記コマンドデータに基づいて実行可能なファイル処理に関するファイル処理サポート情報を要求するファイル処理サポート情報要求を上記外部装置から受信し、該ファイル処理サポート情報要求に応答するファイル処理サポート情報応答を該ファイル処理サポート情報とともに該外部装置へ送信するように、上記データ送受信手段を制御することを特徴とする移動体通信端末。
【請求項５】
請求項１、２、３又は４の移動体通信端末において、
上記制御手段は、上記ファイル処理動作モードの実行中に、上記外部装置からリスト取得要求を受信したとき、上記ファイル管理手段で管理されているファイル及びフォルダーのリスト情報を作成して該外部装置へ送信するように、該ファイル管理手段及び該データ送受信手段を制御することを特徴とする移動体通信端末。
【請求項６】
請求項１、２、３又は４の移動体通信端末において、
上記制御手段は、上記ファイル処理動作モードの実行中に、上記外部装置からファイル読出要求を受信したとき、該ファイル読出要求で指定されているファイルを上記ファイル記憶手段から読み出して該外部装置へ送信するように、該ファイル管理手段及び該データ送受信手段を制御することを特徴とする移動体通信端末。
【請求項７】
請求項１、２、３又は４の移動体通信端末において、
上記制御手段は、上記ファイル処理動作モードの実行中に、上記外部装置からファイル書込要求を受信したとき、該ファイル書込要求とともに受信したファイルを該ファイル書込要求で指定されている上記ファイル記憶手段内の所定のフォルダーに保存するように、該ファイル管理手段及び該データ送受信手段を制御することを特徴とする移動体通信端末。
【請求項８】
請求項１、２、３又は４の移動体通信端末において、
上記制御手段は、上記ファイル処理動作モードの実行中に、上記外部装置からフォルダー作成要求を受信したとき、該フォルダ作成要求で指定されたフォルダーを作成するように、該ファイル管理手段及び該データ送受信手段を制御することを特徴とする移動体通信端末。
【請求項９】
請求項１、２、３又は４の移動体通信端末において、
上記制御手段は、上記ファイル処理動作モードの実行中に、上記外部装置からファイル又はフォルダーを削除するための削除要求を受信したとき、該削除要求で指定された特定のファイル又はフォルダーを削除するように、該ファイル管理手段及び該データ送受信手段を制御することを特徴とする移動体通信端末。
【請求項１０】
近距離用の有線又は無線の非公衆通信により移動体通信端末との間でデータを送受信するためのデータ送受信手段と、
該移動体通信端末にファイルを送信して書き込んだり該移動体通信端末内のファイルを読み出して受信したりするファイル処理を実行させるためのコマンドデータを生成して該移動体通信端末に送信するように、上記データ送受信手段を制御する制御手段を備えたことを特徴とする外部装置。
【請求項１１】
請求項１０の外部装置において、
上記制御手段は、上記コマンドデータに基づいて特定のファイル処理を行うように動作するファイル処理動作モードを上記移動体通信端末で開始するときに、該移動体通信端末の製造番号の読み出しを要求する製造番号読出要求を該移動体通信端末に送信し、該製造番号読出要求に応答する製造番号読出応答を該製造番号とともに該移動体通信端末から受信するように、上記データ送受信手段を制御し、該製造番号に基づいてコマンドデータを生成することを特徴とする外部装置。
【請求項１２】
請求項１０の外部装置において、
上記制御手段は、上記コマンドデータに基づいて特定のファイル処理を行うように動作するファイル処理動作モードを上記移動体通信端末で開始するときに、該移動体通信端末の通信能力の通知を要求する能力通知要求を該移動体通信端末に送信し、該能力通知要求に応答する能力通知応答を該通信能力の通知データとともに該移動体通信端末から受信するように、上記データ送受信手段を制御し、該通信能力の通知データに基づいて該移動体通信端末との間のデータ送受信時の通信条件を設定することを特徴とする外部装置。
【請求項１３】
請求項１０の外部装置において、
上記制御手段は、上記コマンドデータに基づいて特定のファイル処理を行うように動作するファイル処理動作モードを上記移動体通信端末で開始するときに、該コマンドデータに基づいて実行可能なファイル処理に関するファイル処理サポート情報を要求するファイル処理サポート情報要求を該移動体通信端末に送信し、該ファイル処理サポート情報要求に応答するファイル処理サポート情報応答を該ファイル処理サポート情報とともに該移動体通信端末から受信するように、上記データ送受信手段を制御することを特徴とする外部装置。
【請求項１４】
請求項１０、１１、１２又は１３の外部装置において、
上記制御手段は、上記移動体通信端末内のファイル及びフォルダーのリスト情報を取得するためのリスト取得要求を、上記ファイル処理動作モードを実行している移動体通信端末に送信するように、上記データ送受信手段を制御可能なことを特徴とする外部装置。
【請求項１５】
請求項１０、１１、１２又は１３の外部装置において、
上記制御手段は、上記移動体通信端末内に保存されている特定のファイルを取得するためのファイル読出要求を、上記ファイル処理動作モードを実行している移動体通信端末に送信するように、上記データ送受信手段を制御可能なことを特徴とする外部装置。
【請求項１６】
請求項１０、１１、１２又は１３の外部装置において、
上記制御手段は、上記移動体通信端末内の所定のフォルダーにファイルを保存するためのファイル書込要求を保存対象のファイルとともに、上記ファイル処理動作モードを実行している移動体通信端末に送信するように、上記データ送受信手段を制御可能なことを特徴とする外部装置。
【請求項１７】
請求項１０、１１、１２又は１３の外部装置において、
上記制御手段は、上記移動体通信端末内のフォルダーを作成するためのフォルダー作成要求を、上記ファイル処理動作モードを実行している移動体通信端末に送信するように、上記データ送受信手段を制御可能なことを特徴とする外部装置。
【請求項１８】
請求項１０、１１、１２又は１３の外部装置において、
上記制御手段は、上記移動体通信端末内の特定のファイル又はフォルダーを削除するためのフォルダー作成要求を、上記ファイル処理動作モードを実行している移動体通信端末に送信するように、上記データ送受信手段を制御可能なことを特徴とする外部装置。
【請求項１９】
近距離用の有線又は無線の非公衆通信により互いにデータ送受信可能な移動体通信端末と外部装置との間で、該移動体通信端末における特定のファイルの読みだし処理、書き込み処理及び削除処理並びに該移動体通信端末内のファイルのリスト出力処理の少なくとも一つのファイル処理を実行させるためのコマンドデータを送受信し、
該コマンドデータに基づいて該ファイル処理を行うことを特徴とする移動体通信端末におけるファイル処理方法。
【発明の詳細な説明】
【技術分野】
【０００１】
本発明は、携帯電話機等の移動体通信端末、移動体通信端末とデータ送受信可能な外部装置、及び移動体通信端末におけるファイル処理方法に関するものである。
【背景技術】
【０００２】
従来、この種の移動体通信端末として、メモリーカードを利用して外部装置との間でデータの受け渡しを行うことが可能な携帯電話機が知られている（特許文献１）。さらに、公衆無線回線の移動体通信網を介して比較的小さいファイルをサーバからダウンロードしたり、メールで送受信したりすることができる携帯電話機も知られている。
【特許文献１】特開２００２−１７１２５１号公報
【発明の開示】
【発明が解決しようとする課題】
【０００３】
ところが、携帯電話機の利用者によっては、文字データや比較的サイズの小さなファイルだけでなく、大きなサイズ（例えば数Ｍバイト）の画像ファイル、音楽ファイル、プログラムファイル等を携帯電話機に書き込んだり携帯電話機から読み出したりしたい場合がある。例えば、パソコン等に保存しているサイズの大きい画像ファイルを携帯電話機の壁紙として使うために、その画像ファイルを携帯電話機に転送して書き込みたい場合がある。このようなサイズの大きな画像ファイル等を、上記公衆無線回線の移動体通信網を介してサーバからダウンロードしようとすると時間がかかりすぎてしまったり、サービスとして提供されていなかったりする場合がある。また、携帯電話機に着脱可能な記憶媒体であるメモリーカードを介して携帯電話機に保存することも考えられるが、この保存方法は、メモリーカードを装着できない携帯電話機では採用できない。
【０００４】
本発明は以上の問題点に鑑みなされたものである。その目的は、メモリーカードを用いることなく、しかも公衆無線回線からなる移動体通信網を介した場合に比してよりも高速にサイズの大きなファイルの書き込みや読み出しが可能となる移動体通信端末、移動体通信端末とデータ送受信可能な外部装置、及び移動体通信端末におけるファイル処理方法を提供することである。
【課題を解決するための手段】
【０００５】
上記目的を達成するために、請求項１の発明は、近距離用の有線又は無線の非公衆通信により外部装置との間でデータを送受信するためのデータ送受信手段と、ファイルを記憶するためのファイル記憶手段と、該ファイル記憶手段に保存するファイルを管理するファイル管理手段と、該外部装置から受信したコマンドデータに基づいて、該外部装置から受信したファイルを該ファイル記憶手段に書き込んだり該ファイル記憶手段内のファイルを読み出して該外部装置へ送信したりするファイル処理を行うように動作するファイル処理動作モードを実行可能な制御手段とを備えたことを特徴とするものである。
また、請求項２の発明は、請求項１の移動体通信端末において、上記制御手段は、上記ファイル処理動作モードの実行を開始するときに、上記移動体通信端末の製造番号の読み出しを要求する製造番号読出要求を上記外部装置から受信し、該製造番号読出要求に応答する製造番号読出応答を該製造番号とともに該外部装置へ送信するように、上記データ送受信手段を制御することを特徴とするものである。
また、請求項３の発明は、請求項１の移動体通信端末において、上記制御手段は、上記ファイル処理動作モードの実行を開始するときに、上記移動体通信端末の通信能力の通知を要求する能力通知要求を上記外部装置から受信し、該能力通知要求に応答する能力通知応答を該通信能力の通知データとともに該外部装置へ送信するように、上記データ送受信手段を制御し、該通信能力の通知データに基づいて、該ファイル処理動作モードにおける該外部装置との間のデータ送受信時の通信条件を設定することを特徴とするものである。
また、請求項４の発明は、請求項１の移動体通信端末において、上記制御手段は、上記ファイル処理動作モードの実行を開始するときに、上記コマンドデータに基づいて実行可能なファイル処理に関するファイル処理サポート情報を要求するファイル処理サポート情報要求を上記外部装置から受信し、該ファイル処理サポート情報要求に応答するファイル処理サポート情報応答を該ファイル処理サポート情報とともに該外部装置へ送信するように、上記データ送受信手段を制御することを特徴とするものである。
また、請求項５の発明は、請求項１、２、３又は４の移動体通信端末において、上記制御手段は、上記ファイル処理動作モードの実行中に、上記外部装置からリスト取得要求を受信したとき、上記ファイル管理手段で管理されているファイル及びフォルダーのリスト情報を作成して該外部装置へ送信するように、該ファイル管理手段及び該データ送受信手段を制御することを特徴とするものである。
また、請求項６の発明は、請求項１、２、３又は４の移動体通信端末において、上記制御手段は、上記ファイル処理動作モードの実行中に、上記外部装置からファイル読出要求を受信したとき、該ファイル読出要求で指定されているファイルを上記ファイル記憶手段から読み出して該外部装置へ送信するように、該ファイル管理手段及び該データ送受信手段を制御することを特徴とするものである。
また、請求項７の発明は、請求項１、２、３又は４の移動体通信端末において、上記制御手段は、上記ファイル処理動作モードの実行中に、上記外部装置からファイル書込要求を受信したとき、該ファイル書込要求とともに受信したファイルを該ファイル書込要求で指定されている上記ファイル記憶手段内の所定のフォルダーに保存するように、該ファイル管理手段及び該データ送受信手段を制御することを特徴とするものである。
また、請求項８の発明は、請求項１、２、３又は４の移動体通信端末において、上記制御手段は、上記ファイル処理動作モードの実行中に、上記外部装置からフォルダー作成要求を受信したとき、該フォルダ作成要求で指定されたフォルダーを作成するように、該ファイル管理手段及び該データ送受信手段を制御することを特徴とするものである。
また、請求項９の発明は、請求項１、２、３又は４の移動体通信端末において、上記制御手段は、上記ファイル処理動作モードの実行中に、上記外部装置から特定のファイル又はフォルダーを削除するための削除要求を受信したとき、該削除要求で指定されたファイル又はフォルダーを削除するように、該ファイル管理手段及び該データ送受信手段を制御することを特徴とするものである。
【０００６】
また、請求項１０の発明は、近距離用の有線又は無線の非公衆通信により移動体通信端末との間でデータを送受信するためのデータ送受信手段と、該移動体通信端末にファイルを送信して書き込んだり該移動体通信端末内のファイルを読み出して受信したりするファイル処理を実行させるためのコマンドデータを生成して該移動体通信端末に送信するように、上記データ送受信手段を制御する制御手段を備えたことを特徴とするものである。
また、請求項１１の発明は、請求項１０の外部装置において、上記制御手段は、上記コマンドデータに基づいて特定のファイル処理を行うように動作するファイル処理動作モードを上記移動体通信端末で開始するときに、該移動体通信端末の製造番号の読み出しを要求する製造番号読出要求を該移動体通信端末に送信し、該製造番号読出要求に応答する製造番号読出応答を該製造番号とともに該移動体通信端末から受信するように、上記データ送受信手段を制御し、該製造番号に基づいてコマンドデータを生成することを特徴とするものである。
また、請求項１２の発明は、請求項１０の外部装置において、上記制御手段は、上記コマンドデータに基づいて特定のファイル処理を行うように動作するファイル処理動作モードを上記移動体通信端末で開始するときに、該移動体通信端末の通信能力の通知を要求する能力通知要求を該移動体通信端末に送信し、該能力通知要求に応答する能力通知応答を該通信能力の通知データとともに該移動体通信端末から受信するように、上記データ送受信手段を制御し、該通信能力の通知データに基づいて該移動体通信端末との間のデータ送受信時の通信条件を設定することを特徴とするものである。
また、請求項１３の発明は、請求項１０の外部装置において、上記制御手段は、上記コマンドデータに基づいて特定のファイル処理を行うように動作するファイル処理動作モードを上記移動体通信端末で開始するときに、該コマンドデータに基づいて実行可能なファイル処理に関するファイル処理サポート情報を要求するファイル処理サポート情報要求を該移動体通信端末に送信し、該ファイル処理サポート情報要求に応答するファイル処理サポート情報応答を該ファイル処理サポート情報とともに該移動体通信端末から受信するように、上記データ送受信手段を制御することを特徴とするものである。
また、請求項１４の発明は、請求項１０、１１、１２又は１３の外部装置において、上記制御手段は、上記移動体通信端末内のファイル及びフォルダーのリスト情報を取得するためのリスト取得要求を、上記ファイル処理動作モードを実行している移動体通信端末に送信するように、上記データ送受信手段を制御可能なことを特徴とするものである。
また、請求項１５の発明は、請求項１０、１１、１２又は１３の外部装置において、上記制御手段は、上記移動体通信端末内に保存されている特定のファイルを取得するためのファイル読出要求を、上記ファイル処理動作モードを実行している移動体通信端末に送信するように、上記データ送受信手段を制御可能なことを特徴とするものである。
また、請求項１６の発明は、請求項１０、１１、１２又は１３の外部装置において、上記制御手段は、上記移動体通信端末内の所定のフォルダーにファイルを保存するためのファイル書込要求を保存対象のファイルとともに、上記ファイル処理動作モードを実行している移動体通信端末に送信するように、上記データ送受信手段を制御可能なことを特徴とするものである。
また、請求項１７の発明は、請求項１０、１１、１２又は１３の外部装置において、上記制御手段は、上記移動体通信端末内のフォルダーを作成するためのフォルダー作成要求を、上記ファイル処理動作モードを実行している移動体通信端末に送信するように、上記データ送受信手段を制御可能なことを特徴とするものである。
また、請求項１８の発明は、請求項１０、１１、１２又は１３の外部装置において、上記制御手段は、上記移動体通信端末内の特定のファイル又はフォルダーを削除するためのフォルダー作成要求を、上記ファイル処理動作モードを実行している移動体通信端末に送信するように、上記データ送受信手段を制御可能なことを特徴とするものである。
また、請求項１９の発明は、近距離用の有線又は無線の非公衆通信により互いにデータ送受信可能な移動体通信端末と外部装置との間で、該移動体通信端末における特定のファイルの読みだし処理、書き込み処理及び削除処理並びに該移動体通信端末内のファイルのリスト出力処理の少なくとも一つのファイル処理を実行させるためのコマンドデータを送受信し、該コマンドデータに基づいて該ファイル処理を行うことを特徴とするものである。
【０００７】
請求項１の移動体通信端末において、ファイル処理動作モードを実行しているときに、外部装置から送信されてくるコマンドデータをデータ送受信手段で受信する。このコマンドデータに基づいて、外部装置から送信されてきたファイルをファイル記憶手段に書き込んだり、ファイル記憶手段内のファイルを読み出して外部装置に送信したりする特定のファイル処理を行うことができる。
しかも、上記外部装置との間のファイルの送受信を近距離用の有線又は無線の非公衆通信により行うことができるので、メモリーカードを用いる必要がなく、公衆無線回線からなる移動体通信網を介した場合に比してより高速にサイズの大きなファイルの書き込みや読み出しができる。
請求項２の移動体通信端末では、ファイル処理動作モードの実行を開始するときに、外部装置からの製造番号読出要求に応答して、移動体通信端末の製造番号を外部装置へ送信する。外部装置は、受信した製造番号に基づいて、その移動体通信端末の機種に対応する適切なコマンドデータを移動体通信端末に送信できるようになる。
請求項３の移動体通信端末では、ファイル処理動作モードの実行を開始するときに、外部装置からの能力通知要求に応答して、移動体通信端末の通信能力の通知データを外部装置へ送信する。外部装置は、受信した通信能力の通知データに基づいて、ファイル処理動作モードにおける移動体通信端末との間のデータ送受信時の通信条件を設定することができる。また、移動体通信端末では、外部装置に送信した通信能力の通知データに基づいて、ファイル処理動作モードにおける外部装置との間のデータ送受信時の通信条件を設定する。このように外部装置及び移動体通信端末において、同じ通信能力の通知データに基づいて通信条件を設定することにより、ファイル処理動作モードにおける通信を確実に行うことができるようなる。
請求項４の移動体通信端末では、ファイル処理動作モードの実行を開始するときに、外部装置からのファイル処理サポート情報要求に応答して、移動体通信端末のファイル処理サポート情報を外部装置へ送信する。外部装置は、受信したファイル処理サポート情報に基づいて、移動体通信端末でサポートされているファイル処理の種類を確認することができる。この確認結果に基づいて、移動体通信端末でサポートされているファイル処理に対応するコマンドデータのみを送信することにより、移動体通信端末での動作エラーの発生を未然に防止できる。
請求項５の移動体通信端末では、ファイル処理動作モードの実行中に、外部装置からリスト取得要求を受信すると、ファイル管理手段で管理されているファイル及びフォルダーのリスト情報を作成して外部装置へ送信する。
請求項６の移動体通信端末では、ファイル処理動作モードの実行中に、外部装置からファイル読出要求を受信すると、そのファイル読出要求で指定されている特定のファイルをファイル記憶手段から読み出して外部装置へ送信する。
請求項７の移動体通信端末では、ファイル処理動作モードの実行中に、外部装置からファイル書込要求を受信すると、そのファイル書込要求とともに受信したファイルをファイル書込要求で指定されているファイル記憶手段内の所定のフォルダーに保存する。
請求項８の移動体通信端末では、ファイル処理動作モードの実行中に、外部装置からフォルダー作成要求を受信すると、そのフォルダー作成要求で指定されたフォルダーをファイル記憶手段内に作成する。
請求項９の移動体通信端末では、ファイル処理動作モードの実行中に、外部装置から削除要求を受信すると、その削除要求で指定された特定のファイル又はフォルダーをファイル記憶手段内から削除する。
【０００８】
請求項１０の外部装置では、ファイル処理動作モードを実行している移動体通信端末に、移動体通信端末における特定のファイル処理に対応するコマンドデータを送信する。このコマンドデータを送信することにより、コマンドデータに対応する特定のファイル処理を移動体通信端末で実行させることができる。
請求項１１の外部装置では、製造番号読出要求に応答して移動体通信端末から送信されてきた製造番号に基づいて、その移動体通信端末の機種に対応する適切なコマンドデータを送信できる。
請求項１２の外部装置では、能力通知要求に応答して移動体通信端末から送信されてきた通信能力の通知データに基づいて、移動体通信端末との間のデータ送受信時の通信条件を設定し、ファイル処理動作モードにおける通信を確実に行うことができる。
請求項１３の外部装置では、ファイル処理サポート情報要求に応答して移動体通信端末から送信されてきたファイル処理サポート情報に基づいて、移動体通信端末でサポートされているファイル処理の種類を確認することができる。この確認結果に基づいて、移動体通信端末でサポートされているファイル処理に対応するコマンドデータのみを送信することにより、移動体通信端末での動作エラーの発生を未然に防止できる。
請求項１４の外部装置では、リスト取得要求を送信することにより、移動体通信端末内のファイル及びフォルダーのリスト情報を取得することができる。
請求項１５の外部装置では、ファイル読出要求を送信することにより、移動体通信端末内に保存されている特定のファイルを取得することができる。
請求項１６の外部装置では、ファイル書込要求を保存対象のファイルとともに送信することにより、ファイル書込要求で指定した移動体通信端末内の所定のフォルダーに、上記保存対象のファイルを保存することができる。
請求項１７の外部装置では、フォルダー作成要求を送信することにより、そのフォルダー作成要求で指定したフォルダーを、移動体通信端末内に作成することができる。
請求項１８の外部装置では、削除要求を送信することにより、その削除要求で指定した特定のファイル又はフォルダーを、移動体通信端末内から削除することができる。
【０００９】
なお、上記「移動体通信端末」としては、ＰＤＣ（Personal Digital Cellular）方式、ＧＳＭ（Global System for Mobile Communication）方式、ＴＩＡ（Telecommunications Industry Association）方式等の携帯電話機、ＩＭＴ（International Mobile Telecommunications）−２０００で標準化された携帯電話機、ＴＤ−ＳＣＤＭＡ（Time Division Synchronous Code Division Multiple Access）方式の一つであるＴＤ−ＳＣＤＭＡ（ＭＣ：Multi Carrier）方式の携帯電話機、ＰＨＳ（Personal Handyphone Service）、自動車電話機等の電話機のうち、アプリケーションプログラム実行可能なものが挙げられる。また、この「移動体通信端末」としては、上記電話機のほか、電話機能を有しないＰＤＡ（Personal Digital Assistance）等の移動型の移動体通信端末も挙げられる。
また、上記「外部装置」としては、パーソナルコンピュータ等のコンピュータ装置のほか、移動体通信端末との間でデータを送受信するためのデータ送受信手段及び制御手段を内蔵した装置が挙げられる。
また、上記移動体通信端末で実行させる「ファイル処理」としては、ファイルリストの作成・送信処理、フォルダリスト作成・送信処理、ファイル読出処理及びファイル書込処理がある。また、この「ファイル処理」としては、ファイル削除処理、フォルダー作成処理、フォルダー指定処理なども挙げられる。
また、上記移動体通信端末と上記外部装置との間でデータ送受信するための近距離用の有線の非公衆通信は、例えば１６芯のインターフェースケーブル等を用いて行うことができる。また、近距離用の無線の非公衆通信は、赤外線を用いて行ったり、Bluetooth（登録商標）やＩＥＥＥ８０２．１１等で規格された無線通信を用いて行ったりすることができる。
また、上記移動体通信端末及び上記外部装置における制御及びデータ処理は、その移動体通信端末及び外部装置に設けられたコンピュータで所定のプログラムを実行することによって実現することもできる。このコンピュータで用いるプログラムの受け渡しは、デジタル情報としてプログラムを記録したＦＤ，ＣＤ−ＲＯＭ等の記録媒体を用いて行なってもいいし、コンピュータネットワーク等の通信ネットワークを用いて行なってもよい。
【発明の効果】
【００１０】
請求項１乃至１９の発明によれば、外部装置からのコマンドデータに基づいて、外部装置から送信されてきたファイルを移動体通信端末に書き込んだり、移動体通信端末内のファイルを読み出して外部装置に送信したりする特定のファイル処理を行うことができる。しかも、移動体通信端末と外部装置との間のファイル送受信を近距離用の有線又は無線の非公衆通信により行うことができるので、メモリーカードを用いる必要がなく、公衆無線回線からなる移動体通信網を介した場合に比してより高速にサイズの大きなファイルの書き込みや読み出しができるという効果がある。
特に、請求項２及び１１の発明によれば、移動体通信端末の機種に対応する適切なコマンドデータを送信することにより、外部接続装置と通信する移動体通信端末の機種が変わったときでもファイル処理動作モードを確実に実行できるという効果がある。
特に、請求項３及び１２の発明によれば、ファイル処理動作モードにおける移動体通信端末と外部装置との間の通信を確実に行うことができるという効果がある。
特に、請求項４及び１３の発明によれば、外部装置から移動体通信端末の動作を実行するときの動作エラーの発生を未然に防止できるという効果がある。
特に、請求項５及び１４の発明によれば、移動体通信端末のファイル管理手段で管理されているファイル及びフォルダーのリスト情報を作成して外部装置に送信する処理を外部装置から実行し、上記リスト情報を取得できるという効果がある。
特に、請求項６及び１５の発明によれば、移動体通信端末のファイル記憶手段から特定のファイルを読み出す処理を外部装置から実行できるという効果がある。
特に、請求項７及び１６の発明によれば、移動体通信端末に送信したファイルをファイル記憶手段内の所定のフォルダーに書き込んで保存する処理を外部装置から実行できるという効果がある。
特に、請求項８及び１７の発明によれば、移動体通信端末内にフォルダーを作成する処理を外部装置から実行できるという効果がある。
特に、請求項９及び１８の発明によれば、移動体通信端末内の特定のファイル又はフォルダーを削除する処理を外部装置から実行できるという効果がある。
【発明を実施するための最良の形態】
【００１１】
以下、本発明を携帯電話機やＰＨＳ等の移動体通信端末（以下「移動機」という。）及びその移動機にインターフェースケーブルを接続したパーソナルコンピュータ等の外部装置に適用した実施形態について説明する。
まず、外部装置１０及び移動機２０を用いた移動機操作システム、並びにそれを含む通信システムの概略構成について説明する。
図２は、本実施形態に係る移動機２０と外部装置１０とをインターフェースケーブル１１を接続して構成したファイル転送システムを含む通信システム全体の説明図である。このファイル転送システムでは、外部装置１０から移動機２０に所定のコマンドを送信することにより、移動機２０内のファイル処理を外部装置１０から実行できる。例えば、外部装置１０から移動機２０に所定のコマンドを送信することにより、移動機２０内のファイルリストを取得したり、移動機２０内にファイルを書き込んだり、移動機２０内のファイルを外部装置１０に読み出したりすることができる。なお、本実施形態では、インターフェースケーブル１１として、通常の携帯電話機で広く用いられている１６芯のシリアルインターフェースケーブルを使用している。
【００１２】
図３は移動機２０の外観図であり、図４は移動機２０のハードウェア構成を示す概略構成図である。この移動機２０は、の移動機であり、システムバス２００、ＣＰＵ２０１、ＲＡＭ２０２やＲＯＭ２０３等からなるデータ記憶手段、入力装置２０４、出力装置２０５、移動体通信網用通信装置２０６、外部接続用インターフェース装置２０７、撮像手段としての撮像デバイス２９を備えている。ＣＰＵ２０１やＲＡＭ２０２等の構成要素は、システムバス２００を介して、互いに各種データや後述のプログラムの命令等のやり取りを行っている。上記出力装置２０５は、画像表示手段である液晶ディスプレイ（ＬＣＤ）２７、スピーカ２８等から構成されている。上記移動体通信網用通信装置２０６は、移動体通信網４０を介して他の移動機や各種サーバ４１、４２、４３と通信するためのものである。
また、上記撮像デバイス２９としては、ＣＣＤ（Charge Coupled Device）カメラやＣＭＯＳカメラを用いることができる。また、使用環境に応じて、信号処理機能を備えた高速撮像が可能な人工網膜カメラや、赤外線やガンマ線等の可視光線以外の波長領域に感度を有するカメラを用いてもよい。この撮像デバイス２９は、人物や風景等の画像を撮影したり、接写機能により１次元や２次元のコード画像を撮影したりするときに用いられる。
【００１３】
また、上記外部接続用インターフェース装置２０７は、外部装置１０との間で通信を行うためのものである。
【００１４】
図５は、外部装置１０のハードウェア構成の一例を示す概略構成図である。この外部装置１０は、システムバス１００、ＣＰＵ１０１、ＲＡＭ１０２やＲＯＭ１０３等からなる内部記憶装置、ハードディスクドライブ（ＨＤＤ）や光ディスクドライブ等からなる外部記憶装置１０４、マウスやキーボード等からなる入力装置１０５、ディスプレイやプリンタ等からなる出力装置１０６、インターフェースケーブル１１を介して移動機２０と通信するための移動機接続用インターフェース装置１０７を備えている。この外部装置１０においてＣＰＵ１０１やＲＡＭ１０２等の構成要素はお互いに、システムバス１００を介して、データやプログラムの命令等のやり取りを行っている。外部装置１０を所定の手順に従って動作させるためのプログラムはＲＯＭ１０３や外部記憶装置１０４に記憶されており、必要に応じてＣＰＵ１０１やＲＡＭ１０２上の作業エリアに呼び出されて実行される。
【００１５】
図１は、本実施形態のファイル転送システムを構成する移動機２０及び外部装置１０の機能ブロック図である。
移動機２０は、図４に示したハードウェア上で所定のプログラムを実行することにより、図１に示すデータ送受信手段２１０、制御手段２１１、ファイル記憶手段２１２、ファイル管理手段２１３の各機能を実現している。
上記データ送受信手段２１０は、移動機２０のＣＰＵ２０１、外部接続用インターフェース装置２０７等により構成され、インターフェースケーブル１１を介して外部装置１０との間でデータを送受信する機能を有している。
上記制御手段２１１は、移動機２０のＣＰＵ２０１、ＲＡＭ２０２等により構成され、通常キー操作動作モードとファイル処理動作モードとを選択的に実行する機能を有している。通常キー操作動作モード（以下「通常モード」という。）は、利用者が上記キーを操作したときにそのキー操作に応じて移動機２０を動作させる動作モードである。ファイル処理動作モード（以下「ファイル転送モード」という。）は、データ送受信手段２１０で外部装置１０から受信したコマンドデータに基づいて、コマンドデータに対応するファイル処理を特定し、その特定されたファイル処理を行うように移動機２０を動作させる動作モードである。
上記ファイル記憶手段２１２は、移動機２０のＲＡＭ２０２等により構成され、ファイルを記憶している。
上記ファイル管理手段２１３は、移動機２０のＣＰＵ２０１、ＲＡＭ２０２等により構成され、ファイル記憶手段２１２に保存するファイルを階層構造のフォルダーによって管理する機能を有している。
【００１６】
一方、外部装置１０は、図５に示したハードウェア上で所定のプログラムを実行することにより、図１に示すデータ送受信手段１１０、制御手段１１１及びデータ記憶手段１１２の各機能を実現している。
上記データ送受信手段１１０は、外部装置１０のＣＰＵ１０１、移動機接続用インターフェース装置１０７等により構成され、インターフェースケーブル１１を介して移動機２０との間でデータを送受信する機能を有している。
上記データ記憶手段１１２は、移動機２０に送信するコマンドデータに関する情報や、移動機２０との間で送受信するファイルのデータ等を記憶している。このデータの読み出しや保存は、制御手段１１１で制御される。
上記制御手段１１１は、移動機２０におけるファイル処理を実行させるためのコマンドデータを生成して移動機２０に送信するように、上記データ送受信手段１１０を制御する機能を有している。
【００１７】
前述の通り、本実施形態ではインターフェースケーブル１１として１６芯のシリアルケーブルを用いている。よって、移動機２０及び外部装置１０には同ケーブル用のコネクタが設けられており、これらのケーブル及びコネクタは１６芯シリアル端子を有している。
本実施形態では、１６個のシリアル端子のうちの特定の端子を「上りシリアル信号用端子」、「下りシリアル信号用端子」、「シリアル信号用接地端子」、「移動機操作部制御用端子」として割り当てている。なお、本実施形態では、上記「上りシリアル信号用端子」を介して外部装置１０から移動機２０に送信されるシリアル信号を「上りシリアル信号」といい、上記「下りシリアル信号用端子」を介して移動機２０から外部装置１０に送信されるシリアル信号を「下りシリアル信号」という。
上記「移動機操作部制御用端子」は移動機２０の操作部（各種キー）を制御する信号を送受信するための端子である。この信号によって外部装置１０から移動機２０にコマンドデータが伝送される。
【００１８】
図６及び図７は、上記移動機２０と外部装置１０との間で送受信されるシリアル信号の信号フォーマットを例示したものである。図６の信号フォーマットは、移動機２０と外部装置１０との間で送受信されるメッセージを識別するメッセージ識別情報のブロックのみで構成されている。図７の信号フォーマットは、上記メッセージ識別情報のブロックと、それに続けて送信される付加情報のブロックとにより構成されている。この付加情報は、後述の製造番号情報、対応通信速度、暗証番号等の情報である。付加情報のブロックは、単一のブロックで構成してもいいし、複数のブロックで構成してもよい。
また、これらのシリアル信号は複数ビットを１単位として送受信される。このシリアル信号の１単位は特定のビット構成に限定されるものではなく、種々のビット構成を採用し得る。例えば、スタートビット（１ビット）、データビット（８ビット）、偶数パリティ及びストップビット（１ビット）の合計１１ビットでシリアル信号の１単位を構成することができる。
【００１９】
次に、上記構成の外部装置１０と移動機２０との間の通信処理、並びに移動機２０で実行される動作モード及び各種機能について説明する。
〔ファイル転送モードへの遷移〕
図８は、移動機２０の動作モードを通常モードからファイル転送モードへ遷移させる処理のフローチャートであり、図９は同処理のシーケンス図である。
（１）ファイル転送モードへの遷移は、「無線装置識別要求」（ファイル転送モード要求）−「無線装置識別リセット」／「無線装置識別表示」（ファイル転送モード応答）の送受信処理によって開始する（Ａ−２）。
上記「無線装置識別要求」（ファイル転送モード要求）は、前述の図６の信号フォーマットで送受信される。同図に示すメッセージ種別情報ブロック（メッセージ種別の識別情報を入れるブロック）には、「無線装置識別要求」に対応するメッセージ識別情報が入る。移動機２０は、外部装置１０から受信した受信信号のメッセージ種別情報ブロックの内容を確認することにより、当該受信信号が「無線装置識別要求」（ファイル転送モード要求）であることを認識する。
上記「無線装置識別要求」（ファイル転送モード要求）を送信後、一定時間経過しても移動機２０から外部装置１０へ「無線装置識別リセット」／「無線装置識別表示」（ファイル転送モード応答）が送信されない場合、外部装置１０は「移動機２０がファイル転送モードへ遷移できない状態にある（電源が入っていない場合も含む）」と判断し、その旨ユーザに通知する等して終了処理を実行する。
上記「無線装置識別リセット」／「無線装置識別表示」（ファイル転送モード応答）は、前述の図６の信号フォーマットで送受信される。同図に示すメッセージ情報種別のブロックには、「無線装置識別リセット」／「無線装置識別表示」に対応するメッセージ識別情報が入る。外部装置１０は、移動機２０から受信した受信信号のメッセージ種別情報ブロックの内容を確認することにより、当該受信信号が「無線装置識別リセット」／「無線装置識別表示」（ファイル転送モード応答）であることを認識する。
【００２０】
（２）外部装置１０及び移動機２０は、製造番号読出要求／応答（Ａ−３）、能力通知要求／応答（Ａ−４）、暗証番号照合要求／応答（Ａ−５，Ａ−６）を送受信することによって、ファイル転送モード初期設定を完了する。
上記「製造番号読出要求」は、前述の図６の信号フォーマットで送受信される。同図に示すメッセージ情報種別のブロックには、「製造番号読出要求」に対応する識別情報が入る。移動機２０は、外部装置１０から受信した受信信号のメッセージ種別情報ブロックの内容を確認することにより、当該受信信号が「製造番号読出要求」であることを認識する。
上記「製造番号読出応答」は、前述の図７の信号フォーマットで送受信される。同図に示すメッセージ情報種別のブロックには「製造番号読出応答」に対応する識別情報が入り、付加情報のブロックには移動機２０の製造番号に対応する情報が入る。外部装置１０は、移動機２０から受信した受信信号のメッセージ種別情報ブロックの内容を確認することにより、当該受信信号が「製造番号読出応答」であることを認識する。また、付加情報ブロックの内容を確認することにより、移動機２０の製造番号を認識する。
【００２１】
（３）「能力通知要求」／「能力通知応答」は、外部装置１０及び移動機２０が対応している通信速度を設定して送受信する。相手側より通知された対応通信速度と自分側の対応通信速度を比較して、最高の通信速度を選択して以降の通信を行う。
上記「能力通知要求」は、前述の図７の信号フォーマットで送受信される。同図に示すメッセージ種別情報のブロックには、「能力通知要求」に対応する識別情報が入り、付加情報のブロックには、外部装置１０のサポートする通信速度を示す情報が入る。具体的には、上記付加情報のブロックを複数のビットで構成し、各ビットと通信速度とを対応させ、外部装置１０がサポートしている通信速度に対応するビットに「１」を入れる。例えば、第１ビットを「６００ｂｐｓ」、第２ビットを「２４００ｂｐｓ」、第３ビットを「４８００ｂｐｓ」、第４ビットを「９６００ｂｐｓ」、第５ビットを「１４４００ｂｐｓ」、第６ビットを「１９２００ｂｐｓ」として割り当て、外部装置１０のサポートする通信速度に対応するビットに「１」を入れる。このとき、外部装置１０が通信速度９６００ｂｐｓと１９２００ｂｐｓとをサポートしている場合には、第４ビットと第６ビットに「１」を入れる。
移動機２０は、外部装置１０から受信した受信信号のメッセージ種別情報ブロックの内容を確認することにより、当該受信信号が「能力通知要求」であることを認識する。また、受信信号の付加情報ブロックの内容を確認することにより、外部装置１０のサポートしている通知速度を認識する。
上記「能力通知応答」は、前述の図７の信号フォーマットで送受信される。同図に示すメッセージ種別情報のブロックには「能力通知応答」に対応する識別情報が入り、付加情報ブロックには、移動機２０のサポートする通信速度を示す情報が入る。具体的には前述の「能力通知要求」と同様であり、付加情報ブロックを複数のビットで構成し、各ビットと通信速度とを対応させ、移動機２０がサポートしている通信速度に対応するビットに「１」を入れる。
以上のようにして、外部装置１０及び移動機２０は互いのサポートしている通信速度を認識することができ、最高の通信速度を選択して以降の通信を行う。
【００２２】
（４）「暗証番号照合要求」／「暗証番号応答」ではセキュリティ確保のための照合を行う。「暗証番号要求」を受信した移動機２０は暗証番号を照合し、暗証番号が異なる場合は「暗証番号応答（拒否）」を送信する。
上記「暗証番号照合要求」は、前述の図７の信号フォーマットで送受信される。同図に示すメッセージ種別情報のブロックには「暗証番号照合要求」に対応する識別情報が入り、付加情報のブロックには暗証番号が入る。移動機２０は、外部装置１０から受信した受信信号のメッセージ種別情報ブロックの内容を確認することにより、当該受信信号が「暗証番号照合要求」であることを認識する。また、受信信号の付加情報ブロックの内容を確認することにより、外部装置１０からの暗証番号を認識する。
上記「暗証番号応答」は、前述の図７の信号フォーマットで送受信される。同図に示すメッセージ種別情報のブロックには「暗証番号応答」に対応する識別情報が入り、付加情報のブロックには暗証照合結果（受付／拒否）が入る。移動機２０は、暗証番号照合要求によって外部装置１０から受信した暗証番号と、内部に記憶している暗証番号とを照合する。その結果、照合一致した場合には、付加情報ブロックに「受付」と入れ、不一致であった場合には付加情報ブロックに「拒否」と入れる。
【００２３】
（５）暗証番号の照合が正常に終了した後、最初に必ずファイル転送サポート情報要求／応答の送受信を行い、移動機２０−外部装置１０間で互いの機能についてネゴシエーションを行う。
上記「ファイル転送サポート情報要求」は、図１０の信号フォーマットで送受信される。この「ファイル転送サポート情報要求」の信号フォーマットは、メッセージ識別情報のブロックと、４つのブロックからなる付加情報のブロックとにより構成されている。メッセージ種別情報ブロックには「ファイル転送サポート情報要求」に対応する識別情報が入る。第１付加情報ブロックは継続フラグブロックであり、継続あり又は継続なしを表す情報が入る。また、第２付加情報ブロックはデータ長ブロックであり、データ長ブロックの直後からチェックサムブロックの直前までのデータ長（例えばバイト長）を表す情報が入る。また、第３付加情報ブロックは、複数のサブブロックからなるサポート情報ブロックであり、次の（ａ）〜（ｅ）等を表すサポート情報が入る。また、第４付加情報はチェックサムブロックである。
〔サポート情報〕
（ａ）カメラ画素数
（ｂ）対応フォーマットサイズ
（ｃ）サポート処理
（ｄ）外部装置が受信可能なファイルの種類
（ｅ）外部装置が送信可能なファイルの種類
【００２４】
上記対応フォーマットサイズのサブブロックは、例えば複数のビットで構成され、各ビットとサポートデータサイズとが対応し、外部装置１０がサポートしているデータサイズに対応するビットに「１」が入る。例えば、第１ビットを「１２８バイト」、第２ビットを「２５６バイト」、第３ビットを「５１２バイト」、第４ビットを「１０２４バイト」、第５ビットを「２０４８バイト」、第６ビットを「４０９６バイト」、第７ビットを「８１９２バイト」として割り当てられ、外部装置１０のサポートするデータサイズに対応するビットに「１」を入れる。このとき、外部装置１０が「１２８バイト、５１２バイト、２０４８バイト」をサポートしている場合には、第１ビット、第３ビット、第５ビットに「１」を入れる。
【００２５】
また、上記サポート処理のサブブロックは、例えば複数のビットで構成され、各ビットとサポート処理とを対応させ、外部装置１０がサポートしている処理に対応するビットに「１」を入れる。例えば、第１ビットを「ファイルリスト取得処理」、第２ビットを「ファイル読出処理」、第３ビットを「ファイル消去処理」、第４ビットを「ファイル書込処理」、第５ビットを「フォルダー作成処理」、第６ビットを「フォルダー指定処理」として割り当て、外部装置１０のサポートする機能に対応するビットに「１」を入れる。このとき、外部装置１０が前記機能全てをサポートしている場合には、第１ビット〜第６ビットに「１」を入れる。
【００２６】
また、上記外部装置が送受信能なファイルの種類のサブブロックは、例えば複数のビットで構成され、各ビットとファイルの種類とを対応させ、外部装置１０が送受信可能なファイルの種類に対応するビットに「１」を入れる。例えば、表１に示すように各ビットを互いに異なるファイルの種類に割り当て、外部装置１０が送受信可能なファイルに対応するビットに「１」を入れる。
【表１】
2005033777.tif 000003
【００２７】
移動機２０は、外部装置１０から受信した受信信号のメッセージ種別情報ブロックの内容を確認することにより、当該受信信号が「ファイル転送サポート情報要求」であることを認識する。また、受信信号の付加情報のブロックの内容を確認することにより、外部装置１０のサポートしている処理等を認識する。
【００２８】
上記「ファイル転送サポート情報応答」は、前述の図１０の信号フォーマットで送受信される。この「ファイル転送サポート情報応答」の信号フォーマットは、メッセージ識別情報のブロックと、４つのブロックからなる付加情報のブロックとにより構成されている。メッセージ種別情報ブロックには「ファイル転送サポート情報応答」に対応する識別情報が入る。第１付加情報ブロックは継続フラグブロックであり、継続あり又は継続なしを表す情報が入る。また、第２付加情報ブロックはデータ長ブロックであり、データ長ブロックの直後からチェックサムブロックの直前までのデータ長（例えばバイト長）を表す情報が入る。また、第３付加情報ブロックは、複数のサブブロックからなるサポート情報ブロックであり、次の（ａ）〜（ｅ）等を表すサポート情報が入る。また、第４付加情報はチェックサムブロックである。
〔サポート情報〕
（ａ）カメラ画素数
（ｂ）対応フォーマットサイズ
（ｃ）サポート処理
（ｄ）移動機が受信可能なファイルの種類
（ｅ）移動機が送信可能なファイルの種類
【００２９】
なお、上記対応フォーマットサイズ、サポート処理及びファイルの種類としては、上記「ファイル転送サポート情報要求」の場合と同様な情報が挙げられる。
【００３０】
外部装置１０は、移動機２０から受信した受信信号のメッセージ種別情報ブロックの内容を確認することにより、当該受信信号が「ファイル転送サポート情報応答」であることを認識する。また、外部装置１０は、受信信号の付加情報のブロックの内容を確認することにより、移動機２０がサポートしている処理等を認識する。
【００３１】
（６）上記ファイル転送サポート情報要求／応答の送受信処理（Ａ−７）が完了した後、外部装置１０から移動機２０に「ファイル転送サポート情報転送終了」が送信される。この「ファイル転送サポート情報転送終了」を移動機２０が受信することによって、外部装置１０及び移動機２０はともにファイル転送モード待受状態に遷移し（Ａ−８）、ファイル転送モードの信号および手順で動作を行うことができるようになる。上記「ファイル転送サポート情報転送終了」を送受信した直後の信号から、対応フォーマットサイズでの通信を行う。
ファイル転送モード待受状態においては、移動機２０及び外部装置１０は任意にファイルリスト取得処理を実施できる。また、ファイル転送待受状態においてはファイル転送サポート情報でのネゴシエーションの結果対応可能な機能について処理を行うことができる。
【００３２】
図１１及び図１２は、上記ファイル転送モードへの遷移処理において、移動機２０及び外部装置１０の各ディスプレイに表示されるメッセージを例示したシーケンス図である。図１２は、図１１のシーケンスに続いて実行される処理のシーケンスを示している。
ファイル転送モードへの遷移を開始するにあたって、外部装置１０のディスプレイに、「ファイル転送モード開始ＹＥＳ／ＮＯ」というメッセージが表示される。この表示を見て利用者が「ＹＥＳ」を選択する操作をすると、上記「無線装置識別要求」が外部装置１０から移動機２０に送信される。
外部装置１０から２回目の「無線装置識別要求」を受信した移動機２０のディスプレイには、「ファイル転送モード遷移中。しばらくお待ちください。」というメッセージが表示される。
上記「製造番号読出要求」／「製造番号読出応答」及び「能力通知要求」／「能力通知応答」の送受信が完了すると、外部装置１０のディスプレイには、「移動機の暗証番号を入力してください。・・・」というメッセージが表示される。利用者が暗証番号を入力すると、入力した暗証番号とともに「暗証番号照合要求」が外部装置１０から移動機２０へ送信される。この「暗証番号照合要求」を受信した移動機２０のディスプレイには、「暗証番号照合中」というメッセージが表示される。
移動機２０での暗証番号の照合処理において照合に成功した場合は、「暗証番号応答（受付）」が移動機２０から外部装置１０へ送信される。この「暗証番号応答（受付）」を受信した外部装置１０のディスプレイには、「暗証番号照合ＯＫ」というメッセージが表示される。一方、暗証番号の照合に失敗した場合は、「暗証番号応答（拒否）」が移動機２０から外部装置１０へ送信される。この「暗証番号応答（拒否）」を受信した外部装置１０のディスプレイには、「暗証番号が違います。もう一度入力してください」というメッセージが表示される。このメッセージ表示を見て利用者は再度、暗証番号を入力する。ここで、暗証番号の照合に所定回数（図１１の例では３回）失敗した場合は、「異常強制終了（暗証番号照合失敗）」が移動機２０から外部装置１０へ送信される。この「異常強制終了（暗証番号照合失敗）」を受信した外部装置１０のディスプレイには、「最初からやり直してください。」というメッセージが表示され、移動機２０は通常モードになり、外部装置１０のディスプレイには上記「ファイル転送モード開始ＹＥＳ／ＮＯ」というメッセージが表示される。
上記移動機２０での暗証番号の照合処理において照合に成功し、外部装置１０のディスプレイに「暗証番号照合ＯＫ」というメッセージが表示された後、「ファイル転送サポート情報要求」が外部装置１０から移動機２０に送信される。このとき、外部装置１０のディスプレイには、「しばらくお待ち下さい。」というメッセージが表示される。上記「ファイル転送サポート情報要求」を受信した移動機２０が「ファイル転送サポート情報応答」を外部装置１０に送信すると、移動機２０のディスプレイに「ファイル転送モード初期設定完了しました。」というメッセージが表示される。そして、外部装置１０のディスプレイに「ファイル転送モード初期設定完了」というメッセージが表示され、ファイル転送モードへの遷移処理が終了する。
その後、外部装置１０のディスプレイに「移動機からファイルリストを受信しますＹＥＳ／ＮＯ」というメッセージが表示される。この表示を見て利用者が「ＹＥＳ」を選択すると、「ファイルリスト要求」が外部装置１０から移動機２０に送信される。この「ファイルリスト要求」を受信した移動機２０は、ディスプレイのピクト領域に電池ピクト及びオフラインモードピクトを表示するとともに、最上位フォルダー中のファイル／フォルダーのリスト情報を付加情報とした「ファイルリスト応答」を外部装置１０に送信する。外部装置１０は、「ファイルリスト応答」とともに受信したファイル／フォルダーのリスト情報をディスプレイ上に表示することができる。
【００３３】
〔ファイルリスト／フォルダリスト取得処理〕
図１３は任意のファイル／フォルダーについて実行可能なファイルリスト／フォルダリスト取得処理のフローチャートであり、図１４は同処理のシーケンス図である。ファイル転送モードでは、移動機２０及び外部装置１０は任意にファイルリスト取得処理及びフォルダリスト取得処理を実行できる。
移動機２０は「ファイルリスト要求」を受信（Ｂ−２）すると、ファイルリスト取得処理が可能な否か判断する（Ｂ−３）。ここで、ファイルリスト取得処理が可能であると判断したとき、移動機２０は「ファイルリスト応答」とともに、カレントフォルダ内のファイル名のリストと、そのファイルを指定するための外部出力用管理番号とを外部装置１０に出力する（Ｂ−４）。外部装置１０は、上記「ファイルリスト応答」とともに受信したファイルリストをディスプレイに表示するとともに、上記管理番号を用いてファイルの指定を移動機２０に対して行うことができる（Ｂ−５）。
フォルダリスト取得についても同様に、「ファイルリスト要求」を受信（Ｂ−２）し、フォルダリスト取得処理が可能な否か判断する（Ｂ−３）。ここで、フォルダリスト取得処理が可能であると判断したとき、移動機２０は「ファイルリスト応答」とともに、カレントフォルダ内のフォルダー名のリストと、そのフォルダーを指定するための外部出力用管理番号とを外部装置１０に出力する（Ｂ−４）。
【００３４】
なお、上記ファイル及びフォルダーのリストはひとまとまりの「ファイルリスト応答」として移動機２０から送信される。また、移動機２０は上記「ファイル転送サポート情報応答」において、移動機２０からの送信が非対応に設定されているファイル／フォルダーについてはリスト化しない。また、外部装置１０からの「ファイル転送サポート情報要求」において受信が非対応に設定されているファイル／フォルダーについても同様である。但し、ファイルが著作権により転送できない場合は、ファイルのリストのみ転送する。
また、複数言語対応モード設定時には、デフォルトのフォルダーで、複数言語対応モード設定時に移動機画面上対応言語に変換されるものは、フォルダー名を同様に変換して送出する。
【００３５】
上記「ファイルリスト要求」は、前述の図７の信号フォーマットで送受信される。同図に示すメッセージ種別情報のブロックには「ファイルリスト要求」に対応する識別情報が入り、付加情報のブロックにファイル（フォルダー）指定外部出力用管理番号が入る。移動機２０は、外部装置１０から受信した受信信号のメッセージ種別情報ブロックの内容を確認することにより、当該受信信号が「ファイルリスト要求」であることを認識する。また、移動機２０は、受信信号の付加情報ブロックの内容を確認することにより、リスト対象のファイル（フォルダー）の管理番号を認識する。
【００３６】
上記「ファイルリスト応答」は、図１５の信号フォーマットで送受信される。この「ファイルリスト応答」の信号フォーマットは、メッセージ識別情報のブロックと、４つのブロックからなる付加情報のブロックとにより構成されている。メッセージ種別情報ブロックには「ファイルリスト応答」に対応する識別情報が入る。
第１付加情報ブロックは応答／拒否情報ブロックであり、応答／拒否の識別情報、拒否理由を表す情報、継続あり又は継続なしを表す情報等が入る。また、第２付加情報ブロックはデータ長ブロックであり、データ長ブロックの直後からチェックサムブロックの直前までのデータ長（例えばバイト長）を表す情報が入る。また、第３付加情報ブロックは、複数のサブブロックからなるリスト情報ブロックであり、次の（ａ）〜（ｇ）等を表すリスト情報が入る。また、第４付加情報はチェックサムブロックである。
〔リスト情報〕
（ａ）ファイル（フォルダー）指定外部出力用管理番号
（ｂ）ファイル数
（ｃ）移動機内ファイル使用フラグ
（ｄ）ファイル名長（フォルダー名長）
（ｅ）ファイル名（フォルダー名）
（ｆ）ファイルサイズ
（ｇ）更新日時
【００３７】
上記移動機内ファイル使用フラグのサブブロックは、例えば複数のビットで構成され、各ビットと互いに異なる複数の識別情報とがそれぞれ対応している。例えば、移動機２０内で壁紙等の特定に用途で使用されているか否かを識別するビット、著作権の有無を識別するビット、ファイル／フォルダーを識別するビット、ファイル転送の可否を識別するビット、プロテクトの有無を識別するビットなどで構成される。
【００３８】
なお、外部装置１０から開けないフォルダーを指定してリストを取得しようとしたとき等には、移動機２０はリスト情報を送信しないでファイル転送モードの状態に戻る（Ｂ−３，Ｂ−１）。すなわち、図１６に示すように、移動機２０は、外部装置１０からの「ファイルリスト要求」に対してリスト情報を含まない「ファイルリスト応答（拒否）」を返信する。
【００３９】
〔ファイル読出処理〕
図１７はファイルリスト表示によって得られたファイル指定外部出力用管理番号を用いてそのファイルを取得するファイル読出処理のフローチャートであり、図１８は同処理のシーケンス図である。外部装置１０はファイルリスト表示によって得られたファイル指定外部出力用管理番号を用いて、そのファイルを取得することができる。外部装置１０はこの処理を行う前にファイルリストを取得する。
【００４０】
外部装置１０は予めファイルリスト要求によって読み出したファイル指定外部出力用管理番号を用いて、「ファイル読出要求」に読み出したいファイルのファイル指定外部出力用管理番号を設定して移動機２０へ送信する（Ｃ−２）。移動機２０は、外部装置１０から指定されたファイルが著作権を持っている等の理由によりファイル読み出しが可能な否か判断し（Ｃ−３）、読み出し可能な場合に「ファイル読出応答」によってファイルデータを転送する（Ｃ−４）。「ファイル読出応答」の継続データがある場合、外部装置１０は「継続データ要求」を送出し、これを受けた移動機２０は継続データを転送する。指定されたファイルデータの転送が全て終了するまでこれを繰り返し、移動機２０は最後の「ファイル読出応答」に"継続無し"を設定する。
【００４１】
上記「ファイル読出要求」は、前述の図７の信号フォーマットで送受信される。同図に示すメッセージ種別情報のブロックには「ファイル読出要求」に対応する識別情報が入り、付加情報のブロックにファイル指定外部出力用管理番号が入る。移動機２０は、外部装置１０から受信した受信信号のメッセージ種別情報ブロックの内容を確認することにより、当該受信信号が「ファイル読出要求」であることを認識する。また、移動機２０は、受信信号の付加情報ブロックの内容を確認することにより、読み出し対象のファイルの管理番号を認識する。
【００４２】
上記「ファイル読出応答」は、図１９の信号フォーマットで送受信される。この「ファイル読出応答」の信号フォーマットは、メッセージ識別情報のブロックと、４つのブロックからなる付加情報のブロックとにより構成されている。メッセージ種別情報ブロックには「ファイル読出応答」に対応する識別情報が入る。
第１付加情報ブロックは継続フラグブロックであり、継続あり又は継続なしを表す情報等が入る。また、第２付加情報ブロックはデータ長ブロックであり、データ長ブロックの直後からチェックサムブロックの直前までのデータ長（例えばバイト長）を表す情報が入る。また、第３付加情報ブロックは、複数のサブブロックからなるファイル情報ブロックであり、ファイル指定外部出力用管理番号及び読み出し対象のファイルデータ（バイナリデータ）等を表すファイル情報が入る。また、第４付加情報はチェックサムブロックである。
【００４３】
なお、上記ファイル読出処理時に、外部装置１０から指定されたファイルが著作権を持っているファイルである場合など、外部装置１０に読み出しできない場合は、移動機２０が判断してファイルの読み出しを拒否し、ファイル転送モードに戻る（Ｃ−３，Ｃ−１）。すなわち、図２０に示すように、移動機２０は、「ファイルリスト応答」で外部装置１０へリストを転送したファイルのうち、転送不可等の理由によりファイルデータ本体は外部装置１０へ転送できない場合、「ファイル読出拒否」を外部装置１０に返信してファイルの読み出しを拒否する。この場合、ファイル転送モード待受状態は維持される。また、移動機２０はリストを送出していないファイルの読出要求に対しては拒否する。
【００４４】
〔フォルダー指定処理〕
図２１はフォルダー指定処理のシーケンス図である。外部装置１０はファイルリスト（フォルダリスト）取得によって得られたファイル指定外部出力用管理番号を用いて、そのファイル及びフォルダーを指定することができる。
【００４５】
フォルダー指定処理をサポートする移動機２０は、カレントフォルダ以外に存在するファイル、フォルダーに対してサポート処理（ファイルリスト取得処理、ファイル読出処理、ファイル消去処理、ファイル書込処理、フォルダー作成処理）を実行できる。外部装置１０から、指定したいファイル（フォルダー）指定外部出力用管理番号を設定した要求を移動機２０に送信することにより、各サポート処理を実行できる。ファイルリスト取得処理を例に取ると、移動機２０は、カレントフォルダに存在しないファイル（フォルダー）指定外部出力用管理番号を設定した「ファイルリスト要求」を受信した場合も、通常と同じように配下のファイルリストを外部装置１０に送信する。但し、フォルダー指定処理を受け付けるのは移動機２０が既にファイル（フォルダー）指定外部出力用管理番号を送出済みの番号に対してのみである。一旦通常モードに戻った場合は、全ての番号が未送出の状態となる。
【００４６】
〔ファイル消去処理〕
図２２はファイル消去のフローチャートであり、図２３は同処理のシーケンス図である。外部装置１０は、ファイルリスト取得によって得られたファイル指定外部出力用管理番号を用いてそのファイルを移動機２０内部から消去することができる。また、フォルダー管理番号を指定した場合は、指定したフォルダー、及びその配下のファイル／フォルダーを全て消去することができる。
【００４７】
外部装置１０は消去したいファイルのファイル指定外部出力用管理番号を指定した「ファイル消去要求」を送出する（Ｄ−２）。この「ファイル消去要求」を受信した移動機２０は、消去対象のファイルが消去可能などうかを判断し、消去可能であると判断した場合に該当のファイルを消去した後、「ファイル消去応答（成功）」を送出する（Ｄ−４）。その後、外部装置１０は「ファイルリスト要求」を送信してファイルリストの更新を行うことが望ましい。
また、フォルダーを消去したい場合はファイル指定外部出力用管理番号に当該フォルダーの番号を設定する（Ｄ−２）。これを受けた移動機２０は、消去対象のフォルダーが消去可能などうかを判断し、消去可能であると判断した場合に指定フォルダー配下のファイル及びフォルダーを一括消去する（Ｄ−４）。但し、指定されたフォルダー配下に１つでも消去不可能なファイルが存在する場合は、「ファイル消去応答（失敗）」を送出してフォルダー消去を行わない。このとき、ファイル転送モード突入時のネゴシエーションにより、ファイル読出不可となった種別のファイルは消去不可の扱いとする。また、指定されたフォルダー自体が消去不可の場合もフォルダー消去を行わない。ファイルリストで取得した情報で、"プロテクト有り"に設定されているファイルは、外部装置１０からの消去は不可とする。
また、最上位のフォルダーを指定して、ファイル消去要求を行うと、全てのファイル、フォルダーの消去を行うことができる（全消去）。この場合も消去不可のファイル、若しくは消去不可のフォルダーが１つでも存在する場合は消去を実施しない。但し、消去不可のフォルダーについてはこの判定に含めない。
カレントフォルダが消去された場合は、１つ上のフォルダーにカレントを移動する。
【００４８】
上記「ファイル消去要求」は、前述の図７の信号フォーマットで送受信される。同図に示すメッセージ種別情報のブロックには「ファイル消去要求」に対応する識別情報が入り、付加情報のブロックにファイル指定外部出力用管理番号が入る。移動機２０は、外部装置１０から受信した受信信号のメッセージ種別情報ブロックの内容を確認することにより、当該受信信号が「ファイル消去要求」であることを認識する。また、移動機２０は、受信信号の付加情報ブロックの内容を確認することにより、消去対象のファイルの管理番号を認識する。
【００４９】
上記「ファイル消去応答」は、図２４の信号フォーマットで送受信される。この「ファイル消去応答」の信号フォーマットは、メッセージ識別情報のブロックと、２つのブロックからなる付加情報のブロックとにより構成されている。メッセージ種別情報ブロックには「ファイル消去応答」に対応する識別情報が入る。第１付加情報ブロックは管理番号ブロックであり、ファイル指定外部出力用管理番号を表す情報等が入る。また、第２付加情報ブロックは消去結果情報ブロックであり、消去処理が成功したか否かを表す情報及びその理由等を表すファイル情報が入る。
【００５０】
なお、フォルダー消去指定時、そのフォルダーがＯＰＥＮ不可である場合は、消去を行わずに「ファイル消去応答（失敗（ファイル消去規制））」を送出し、ファイル転送モードに戻る（Ｄ−３，Ｄ−１）。すなわち、図２５に示すように、移動機２０は、外部装置１０からの「ファイル消去要求」に対して「ファイル消去応答（失敗）」を返信する。外部装置１０のディスプレイには、失敗理由に基づいた表示がなされる。
【００５１】
〔ファイル書込処理〕
図２６はファイル書込処理のフローチャートであり、図２７は同処理のシーケンス図である。外部装置１０は、移動機２０に対して書き込もうとするファイルが書込み可能であるかどうかを移動機２０に問い合わせ、書込可能である場合にはカレントフォルダにファイルを書き込むことができる。
【００５２】
外部装置１０において書き込むファイルが選択されると（Ｅ−２）、外部装置１０は、移動機２０へのファイル書込に先立って「ファイル書込認証要求」を送信する（Ｅ−３）。「ファイル書込認証要求」には書込もうとするファイルのファイルサイズ、ファイル名等の情報が設定されており、移動機２０はこれらの情報を元に書込可能かどうかを判断する（Ｅ−４）。書込可能である場合は「ファイル書込認証応答（成功）」を送信し、書込不可である場合は図２８に示すように「ファイル書込認証応答（失敗）」を送信する。「ファイル書込認証応答（失敗）」を受信した外部装置１０はそのファイルの書込処理を停止する。但し、この場合、ファイル転送モード待受状態は維持される（Ｅ−４，Ｅ−１）。
上記「ファイル書込認証応答（成功）」を受信した場合、外部装置１０はファイルデータを伴う「ファイル書込要求」を移動機２０に送信することにより（Ｅ−５）、移動機２０にファイルを書き込むことができる（Ｅ−６）。同一ファイル名で管理可能な移動機については同一ファイル名で、同一ファイル名で管理出来ない移動機の場合は重複しないように管理する。移動機２０は、ファイルの書き込み処理が完了すると、「ファイル書込応答（成功）」を外部装置１０に送信する。
【００５３】
上記「ファイル書込認証要求」は、図２９の信号フォーマットで送受信される。この「ファイル書込認証要求」の信号フォーマットは、メッセージ識別情報のブロックと、４つのブロックからなる付加情報のブロックとにより構成されている。メッセージ種別情報ブロックには「ファイル書込認証要求」に対応する識別情報が入る。
第１付加情報ブロックは継続フラグブロックであり、継続あり又は継続なしを表す情報等が入る。また、第２付加情報ブロックはデータ長ブロックであり、データ長ブロックの直後からチェックサムブロックの直前までのデータ長（例えばバイト長）を表す情報が入る。また、第３付加情報ブロックは、複数のサブブロックからなる書込ファイル情報ブロックであり、次の（ａ）〜（ｅ）等を表すリスト情報が入る。また、第４付加情報はチェックサムブロックである。
〔書込ファイル情報〕
（ａ）ファイル（フォルダー）指定外部出力用管理番号
（ｂ）ファイル／フォルダー識別
（ｃ）ファイルサイズ
（ｄ）ファイル名長（フォルダー名長）
（ｅ）ファイル名（フォルダー名）
【００５４】
上記「ファイル書込認証応答」は、前述の図７の信号フォーマットで送受信される。この「ファイル書込認証応答」の信号フォーマットは、メッセージ識別情報のブロックと付加情報のブロックとにより構成されている。メッセージ種別情報ブロックには「ファイル書込認証応答」に対応する識別情報が入る。付加情報ブロックにはファイル書込認証処理が成功したか否かを表す情報及びその理由等を表すファイル情報が入る。
【００５５】
上記「ファイル書込要求」は、図３０の信号フォーマットで送受信される。この「ファイル書込要求」の信号フォーマットは、メッセージ識別情報のブロックと、４つのブロックからなる付加情報のブロックとにより構成されている。メッセージ種別情報ブロックには「ファイル書込要求」に対応する識別情報が入る。
第１付加情報ブロックは継続フラグブロックであり、継続あり又は継続なしを表す情報等が入る。また、第２付加情報ブロックはデータ長ブロックであり、データ長ブロックの直後からチェックサムブロックの直前までのデータ長（例えばバイト長）を表す情報が入る。また、第３付加情報ブロックは、書き込み対象のファイルデータが入る。また、第４付加情報はチェックサムブロックである。
【００５６】
上記「ファイル書込応答」は、図３１の信号フォーマットで送受信される。この「ファイル書込応答」の信号フォーマットは、メッセージ識別情報のブロックと、３つのブロックからなる付加情報のブロックとにより構成されている。メッセージ種別情報ブロックには「ファイル書込応答」に対応する識別情報が入る。
第１付加情報ブロックは書込結果情報ブロックであり、ファイル書き込みが成功したか失敗下かを表す情報等が入る。また、第２付加情報ブロックは管理番号ブロックであり、ファイル指定外部出力用管理番号を表す情報等が入る。また、第３付加情報ブロックはファイル情報ブロックであり、実際に移動機２０に書き込んだファイル（フォルダー）のファイル名長（フォルダー名長）のデータが入る。
【００５７】
書込認証時のファイル種別の認識は拡張子で行うものとし、対応ファイルであれば書き込みを行う。但し、拡張子判断で移動機２０内部に保存不可であるファイルの場合は、「ファイル書込認証応答」（失敗：保存不可ファイル）を送信して書込みを拒否する。
書込認証で書込可能と判断された場合ファイルの書込みを行う。書込みを行いファイルのシグネチャチェックを行った結果、エラーである場合は壊れアイコン表示を行う。この場合も転送可／不可の管理は拡張子によって判断する。
【００５８】
〔フォルダー作成処理〕
図３２はフォルダー作成処理のフローチャートであり、図３３は同処理のシーケンス図である。
外部装置１０は、上記「ファイル書込認証要求」のファイル/フォルダー識別ビットを"フォルダー"に設定することによって、指定したフォルダー上に新規フォルダーを作成することができる。フォルダー作成時の信号シーケンスについては上記ファイル書込処理時と同様である。フォルダー作成成功後のカレントフォルダは書き込み前と同じとする。"フォルダー指定処理"が非対応である場合は新規作成フォルダーが存在するフォルダーとなる。また、外部装置１０が設定したフォルダー名が移動機２０の対応するフォルダー名長を超えた場合は、超えた分を削除して表示する。
【００５９】
〔電池残量低下時の動作〕
図３４は電池残量低下時の動作のフローチャートであり、図３５は同動作のシーケンス図である。
移動機２０は外部装置１０から何らかのファイル処理を要求された時（Ｇ−２）、電池残量を確認して要求されたファイル処理を完了できるかどうか判断する（Ｇ−３）。ここで、ファイル処理が完了できると判断した場合は、外部装置１０から要求されたファイル処理を実施する（Ｇ−４）。一方、ファイル処理が完了できない（ファイル処理中に電池切れを起こす）と判断した場合、移動機２０はファイル転送モード異常終了通知（電池残量低下）を送出して通常モードに遷移する（Ｇ−５）。
なお、図３５はファイル書き込み処理時について示しているが、他のファイル処理時も同様に動作する。
【００６０】
〔ファイル転送モード解除処理〕
図３６は、ファイル転送モード解除処理のフローチャートであり、図３７及び図３８は同処理のシーケンス図である。
移動機２０及び外部装置１０は、「ファイル転送モード終了通知」を送出することによってファイル転送モードの解除を行う。
図３７に示すように外部装置１０から「ファイル転送モード終了通知」を送出した場合、移動機２０は「ファイル転送モード終了通知応答」を送出してファイル転送モードを解除し（Ｈ−２）、通常モードへ遷移する（Ｈ−３）。一方、図３８に示すように移動機２０から「ファイル転送モード終了通知」を送出した場合は、外部装置１０から「ファイル転送モード終了通知応答」を送出してファイル転送モードを解除し（Ｈ−２）、通常モードへ遷移する（Ｈ−３）。
【００６１】
〔ファイル指定外部出力用管理番号〕
移動機２０内で割り当てるファイル指定外部出力用管理番号については、移動機２０内に保存されているファイル及びフォルダーについてユニークに割り当てる。これによって外部装置１０からファイルを指定することが可能である。
【００６２】
なお、上記実施形態では、外部装置１０と移動機２０との間の通信としてシリアルインターフェースケーブルによる有線のシリアル通信を採用した場合について説明したが、Bluetooth（登録商標）等の近距離無線通信や赤外線通信などの無線通信を採用してもよい。また、通信方式も、シリアル通信に限定されるものではなく、本発明は、パラレル通信などの他の通信方式を採用した場合にも同様に適用できるものである。
【図面の簡単な説明】
【００６３】
【図１】本発明の実施形態に係るファイル転送システムを構成する移動機及び外部装置の機能ブロック図。
【図２】実施形態に係る移動機と外部装置とをインターフェースケーブルを接続して構成したファイル転送システムを含む通信システム全体の説明図。
【図３】移動機の外観図。
【図４】移動機のハードウェア構成の一例を示す概略構成図。
【図５】外部装置のハードウェア構成の一例を示す概略構成図。
【図６】移動機と外部装置との間で送受信されるシリアル信号の信号フォーマットの説明図。
【図７】他の信号フォーマットの説明図。
【図８】ファイル転送モード遷移処理のフローチャート。
【図９】同ファイル転送モード遷移処理のシーケンス図。
【図１０】同処理で送受信する「ファイル転送サポート情報要求」の信号フォーマットの説明図。
【図１１】ファイル転送モードへの遷移処理において移動機及び外部装置の各ディスプレイに表示されるメッセージを例示したシーケンス図。
【図１２】図１１のシーケンスに続いて実行される処理のシーケンス図。
【図１３】ファイルリスト／フォルダリスト取得処理のフローチャート。
【図１４】同ファイルリスト／フォルダリスト取得処理のシーケンス図。
【図１５】同処理で送受信する「ファイルリスト要求」の信号フォーマットの説明図。
【図１６】ファイルリスト／フォルダリスト読み出しを拒否する場合のシーケンス図。
【図１７】ファイル読出処理のフローチャート。
【図１８】同ファイル読出処理のシーケンス図。
【図１９】同処理で送受信する「ファイル読出応答」の信号フォーマットの説明図。
【図２０】ファイル読み出しを拒否する場合のシーケンス図。
【図２１】フォルダー指定処理のシーケンス図。
【図２２】ファイル消去処理のフローチャート。
【図２３】同ファイル消去処理のシーケンス図。
【図２４】同処理で送受信する「ファイル消去応答」の信号フォーマットの説明図。
【図２５】ファイル消去を失敗した場合のシーケンス図。
【図２６】ファイル書込処理のフローチャート。
【図２７】同ファイル書込処理のシーケンス図。
【図２８】ファイル書込認証に失敗した場合のシーケンス図。
【図２９】ファイル書込処理で送受信する「ファイル書込認証要求」の信号フォーマットの説明図。
【図３０】同ファイル書込処理で送受信する「ファイル書込要求」の信号フォーマットの説明図。
【図３１】同ファイル書込処理で送受信する「ファイル書込応答」の信号フォーマットの説明図。
【図３２】フォルダー作成処理のフローチャート。
【図３３】同フォルダー作成処理のシーケンス図。
【図３４】電池残量低下時の動作のフローチャート。
【図３５】同電池残量低下時の動作のシーケンス図。
【図３６】ファイル転送モード解除処理のフローチャート。
【図３７】同ファイル転送モード解除処理のシーケンス図。
【図３８】同ファイル転送モード解除処理のシーケンス図。
【符号の説明】
【００６４】
１０    外部装置
１１    インターフェースケーブル
２０    移動機
４０    移動体通信網
【図１】
2005033777.tif 000004
【図２】
2005033777.tif 000005
【図３】
2005033777.tif 000006
【図４】
2005033777.tif 000007
【図５】
2005033777.tif 000008
【図６】
2005033777.tif 000009
【図７】
2005033777.tif 000010
【図８】
2005033777.tif 000011
【図９】
2005033777.tif 000012
【図１０】
2005033777.tif 000013
【図１１】
2005033777.tif 000014
【図１２】
2005033777.tif 000015
【図１３】
2005033777.tif 000016
【図１４】
2005033777.tif 000017
【図１５】
2005033777.tif 000018
【図１６】
2005033777.tif 000019
【図１７】
2005033777.tif 000020
【図１８】
2005033777.tif 000021
【図１９】
2005033777.tif 000022
【図２０】
2005033777.tif 000023
【図２１】
2005033777.tif 000024
【図２２】
2005033777.tif 000025
【図２３】
2005033777.tif 000026
【図２４】
2005033777.tif 000027
【図２５】
2005033777.tif 000028
【図２６】
2005033777.tif 000029
【図２７】
2005033777.tif 000030
【図２８】
2005033777.tif 000031
【図２９】
2005033777.tif 000032
【図３０】
2005033777.tif 000033
【図３１】
2005033777.tif 000034
【図３２】
2005033777.tif 000035
【図３３】
2005033777.tif 000036
【図３４】
2005033777.tif 000037
【図３５】
2005033777.tif 000038
【図３６】
2005033777.tif 000039
【図３７】
2005033777.tif 000040
【図３８】
2005033777.tif 000041